【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
画像を形成する画像形成手段と、
用紙搬送路に設置され、前記画像形成手段により用紙に形成されたパッチ画像を複数含むチャート画像を複数のセンサにより測色する測色手段と、
前記測色手段によるパッチ画像の測色結果を用いて前記画像形成手段が形成する画像の色を目標値に近づけるように補正するためのデータを生成する補正データ生成手段を有し、
前記複数のセンサのうち、前記チャート画像に含まれる第１のパッチ画像を測色する第１のセンサが故障した場合、
前記第１のパッチを、前記第１のセンサとは異なる第２のセンサにより測色できるように、前記チャート画像にて前記第１のパッチが形成される配置位置を変更する変更手段を有することを特徴とする画像処理装置。
【請求項２】
前記変更手段は、前記第１のセンサの読み取り位置である第１の位置に形成される第１のパッチ画像を前記第１の位置とは異なる位置であり、前記第２のセンサの読みとり位置である第２の位置に形成することを特徴とする請求項１に記載の画像処理装置。
【請求項３】
前記補正データ生成手段は、前記変更手段により前記第１のパッチの配置位置が変更されたチャート画像を測色した結果を用いて前記画像形成手段が形成する画像の色を目標値に近づけるように補正するためのデータを生成することを特徴とする請求項１に記載の画像処理装置。
【請求項４】
前記チャート画像を形成するために参照されるデータであり、
前記チャート画像のうち、前記第１の位置に前記第１のパッチ画像を形成するようパッチ画像の配置位置を指定し、前記第１のパッチ画像が前記測色手段により測色された値と第１の目標値とを対応づけるデータであるチャートデータを記憶する記憶手段をさらに有し、前記第１のパッチ画像を測色する第１のセンサの故障が検知されると、
前記変更手段は、前記第１のパッチ画像を、前記チャートデータにより指定されていた前記第１の位置から、前記第２の位置に形成するようパッチ画像の配置位置を変更し、
前記チャートデータにより、前記第１の位置に形成された第１のパッチ画像の測色値に対応付けられていた第１の目標値を、前記第２の位置に形成された第１のパッチ画像の測色値に対応づけることで、前記記憶手段に記憶されたチャートデータを変更することを特徴とする請求項１に記載の画像処理装置。
【請求項５】
前記変更手段により変更されたチャートデータに従い前記画像形成手段により形成されたチャート画像を前記測色手段により測色し、
該測色により、前記第２の位置に形成された第１のパッチ画像の測色値と該測色値に対応付けられた第１の目標値を用いて、
前記画像形成手段により形成される画像の色を前記第１の目標値に近づけるように補正するためのデータを生成する補正データ生成手段を有することを特徴とする請求項４に記載の画像処理装置。
【請求項６】
前記第２の位置は、前記第１の位置と同じ用紙に形成されるチャート画像にあることを特徴とする請求項１に記載の画像処理装置。
【請求項７】
前記第２の位置は、前記第１の位置と異なる用紙に形成されるチャート画像にあることを特徴とする請求項１に記載の画像処理装置。
【請求項８】
前記第２の位置は、前記センサが測色可能な面積を有していることを特徴とする請求項１に記載の画像処理装置。
【請求項９】
前記第１のセンサにより測色されるパッチ画像が複数ある場合、
前記複数の第１のセンサの故障が検知されると、前記変更手段は、前記複数のパッチ画像を、前記複数のセンサのうち前記第１のセンサ以外の故障が検知されていない複数のセンサを構成する１つのセンサにより読み取られる位置に形成するよう前記複数の第１のパッチ画像の配置位置を変更することを特徴とする請求項１に記載の画像処理装置。
【請求項１０】
前記センサのうち、前記第１の位置に形成される第１のパッチ画像を読み取るセンサの故障が検知されたことを知らせるための表示をさせる表示手段を有することを特徴とする請求項１に記載の画像処理装置。
【請求項１１】
前記センサのうち、前記第１の位置に形成される第１のパッチ画像を読み取るセンサの故障が検知されたことを、サービスマンに通知することを特徴とする請求項１に記載の画像処理装置。
【請求項１２】
画像を形成する画像形成ステップと、
用紙搬送路に設置され、前記画像形成ステップにより用紙に形成されたパッチ画像を複数含むチャート画像を複数のセンサにより測色する測色ステップと、
前記測色ステップによるパッチ画像の測色結果を用いて前記画像形成ステップが形成する画像の色を目標値に近づけるように補正するためのデータを生成する補正データ生成ステップを有し、
前記複数のセンサのうち、前記チャート画像に含まれる第１のパッチ画像を測色する第１のセンサが故障した場合、
前記第１のパッチを、前記第１のセンサとは異なる第２のセンサにより測色できるように、前記チャート画像にて前記第１のパッチが形成される配置位置を変更する変更ステップを有することを特徴とする画像処理方法。
【請求項１３】
前記変更ステップは、前記第１のセンサの読み取り位置である第１の位置に形成される第１のパッチ画像を前記第１の位置とは異なる位置であり、前記第２のセンサの読みとり位置である第２の位置に形成することを特徴とする請求項１２に記載の画像処理方法。
【請求項１４】
前記補正データ生成ステップは、前記変更ステップにより前記第１のパッチの配置位置が変更されたチャート画像を測色した結果を用いて前記画像形成ステップが形成する画像の色を目標値に近づけるたように補正するためのデータ生成することを特徴とする請求項１２に記載の画像処理方法。
【請求項１５】
前記チャート画像を形成するために参照されるデータであり、
前記チャート画像のうち、前記第１の位置に前記第１のパッチ画像を形成するようパッチ画像の配置位置を指定し、前記第１のパッチ画像が前記測色ステップにより測色された値と第１の目標値とを対応づけるデータであるチャートデータを記憶する記憶ステップをさらに有し、前記第１のパッチ画像を測色する第１のセンサの故障が検知されると、
前記変更ステップは、前記第１のパッチ画像を、前記チャートデータにより指定されていた前記第１の位置から、前記第２の位置に形成するようパッチ画像の配置位置を変更し、
前記チャートデータにより、前記第１の位置に形成された第１のパッチ画像の測色値に対応付けられていた第１の目標値を、前記第２の位置に形成された第１のパッチ画像の測色値に対応づけることで、前記記憶ステップに記憶されたチャートデータを変更することを特徴とする請求項１２に記載の画像処理方法。
【請求項１６】
前記変更ステップにより変更されたチャートデータに従い前記画像形成ステップにより形成されたチャート画像を前記測色ステップにより測色し、
該測色により、前記第２の位置に形成された第１のパッチ画像の測色値と該測色値に対応付けられた第１の目標値を用いて、
前記画像形成ステップにより形成される画像の色を前記第１の目標値に近づけるように補正するためのデータを生成する補正データ生成ステップを有することを特徴とする請求項１５に記載の画像処理方法。
【請求項１７】
前記第２の位置は、前記第１の位置と同じ用紙に形成されるチャート画像にあることを特徴とする請求項１２に記載の画像処理方法。
【請求項１８】
前記第２の位置は、前記第１の位置と異なる用紙に形成されるチャート画像にあることを特徴とする請求項１２に記載の画像処理方法。
【請求項１９】
前記第２の位置は、前記センサが測色可能な面積を有していることを特徴とする請求項１２に記載の画像処理方法置。
【請求項２０】
前記第１のセンサにより測色されるパッチ画像が複数ある場合、
前記複数の第１のセンサの故障が検知されると、前記変更ステップは、前記複数のパッチ画像を、前記センサのうち前記第１のセンサ以外の故障が検知されていない複数のセンサを構成する１つのセンサにより読み取られる位置に形成するよう前記複数の第１のパッチ画像の配置位置を変更することを特徴とする請求項１２に記載の画像処理方法。
【請求項２１】
前記センサのうち、前記第１の位置に形成される第１のパッチ画像を読み取るセンサの故障が検知されたことを知らせるための表示をさせる表示ステップを有することを特徴とする請求項１２に記載の画像処理方法。
【請求項２２】
前記センサのうち、前記第１の位置に形成される第１のパッチ画像を読み取るセンサの故障が検知されたことを、サービスマンに通知することを特徴とする請求項１２に記載の画像処理方法。
【請求項２３】
コンピュータに請求項１２乃至２２に記載の画像処理方法を実行させるためのプログラム。
【手続補正２】
【補正対象書類名】明細書
【補正対象項目名】００１２
【補正方法】変更
【補正の内容】
【００１２】
上記課題を解決すべく本発明の画像処理装置は、  画像を形成する画像形成手段と、用紙搬送路に設置され、前記画像形成手段により用紙に形成されたパッチ画像を複数含むチャート画像を複数のセンサにより測色する測色手段と、前記測色手段によるパッチ画像の測色結果を用いて前記画像形成手段が形成する画像の色を目標値に近づけるように補正するためのデータを生成する補正データ生成手段を有し、前記複数のセンサのうち、前記チャート画像に含まれる第１のパッチ画像を測色する第１のセンサが故障した場合、前記第１のパッチを、前記第１のセンサとは異なる第２のセンサにより測色できるように、前記チャート画像にて前記第１のパッチが形成される配置位置を変更する変更手段を有することを特徴とする。